(57)【要約】【課題】発呼による通信が開始される前にアナウンスを行なうことにより、余分な操作や処理を必要としないアナウンス機能を達成すること。【解決手段】移動局が基地局を介して無線通信を行なう通信システムであって、移動局からの発呼が複数の基地局のいずれの基地局を経由して行なわれたかを判別する基地局判別部と、移動局からの発呼に基づく通信が開始される前に、基地局判別部が判別した基地局に対応付けられたアナウンス情報を発呼した前記移動局に送信するアナウンス送信部と、を備えることを特徴とする。【選択図】  図１
2014057116.tif 000002
【特許請求の範囲】
【請求項１】
移動局が基地局を介して無線通信を行なう通信システムであって、
前記移動局からの発呼が複数の基地局のいずれの基地局を経由して行なわれたかを判別する判別手段と、
前記移動局からの発呼に基づく通信が開始される前に、前記判別手段が判別した基地局に対応付けられたアナウンス情報を発呼した前記移動局に送信する送信手段と、
を備えることを特徴とする通信システム。
【請求項２】
前記判別手段が判別した基地局の現在位置を判定する判定手段を備え、
前記送信手段は、前記判定手段が判定した基地局の現在位置に対応するアナウンス情報を発呼した前記移動局に送信することを特徴とする請求項１に記載の通信システム。
【請求項３】
前記判別手段が判別した基地局が前記アナウンス情報を送信すべき基地局か否かを判断する第１判断手段を備え、
前記送信手段は、前記第１判断手段が前記アナウンス情報を送信すべき基地局であると判断した場合に、前記判別手段が判別した基地局に対応付けられたアナウンス情報を発呼した前記移動局に送信することを特徴とする請求項１または２に記載の通信システム。
【請求項４】
発呼した前記移動局が前記アナウンス情報を送信すべき移動局か否かを判断する第２判断手段を備え、
前記送信手段は、前記第１判断手段が前記アナウンス情報を送信すべき基地局であると判断し、且つ、前記第２判断手段が前記アナウンス情報を送信すべき移動局であると判断した場合に、前記判別手段が判別した基地局に対応付けられたアナウンス情報を発呼した前記移動局に送信することを特徴とする請求項３に記載の通信システム。
【請求項５】
前記送信手段により前記アナウンス情報が発呼した前記移動局に送信されている間に発呼先の呼び出し音を受信した場合に、前記発呼先の呼び出し音の通知を前記アナウンス情報の終了まで待機させる待機手段を備えることを特徴とする請求項１乃至４のいずれか１項に記載の通信システム。
【請求項６】
前記送信手段により前記アナウンス情報が発呼した前記移動局に送信されている間に前記発呼に基づく通信の開始が通知された場合に、前記アナウンスを停止して前記発呼に基づく通信を開始させる開始手段を備えることを特徴とする請求項１乃至５のいずれか１項に記載の通信システム。
【請求項７】
移動局が基地局を介して無線通信を行なう通信システムにおける通信方法であって、
前記移動局からの発呼がいずれの基地局を経由して行なわれたかを判別する判別ステップと、
前記移動局からの発呼に基づく通信が開始される前に、前記判別ステップにより判別した基地局に対応付けられたアナウンス情報を発呼した前記移動局に送信する送信ステップと、
を含むことを特徴とする通信方法。
【請求項８】
移動局が基地局を介して無線通信を行なう通信システムにおける、複数の基地局に接続し、前記移動局と外部ネットワークとを中継して該外部ネットワークとの通信を制御する通信制御装置であって、
前記移動局からの発呼が前記複数の基地局のいずれの基地局を経由して行なわれたかを判別する判別手段と、
前記移動局からの発呼に基づく通信が開始される前に、前記判別手段が判別した基地局に対応付けられたアナウンス情報を発呼した前記移動局に送信する送信手段と、
を有することを特徴とする通信制御装置。
【請求項９】
移動局が基地局を介して無線通信を行なう通信システムにおける、複数の基地局に接続し、前記移動局と外部ネットワークとを中継して該外部ネットワークとの通信を制御する通信制御装置の制御方法であって、
前記移動局からの発呼が前記複数の基地局のいずれの基地局を経由して行なわれたかを判別する判別ステップと、
前記移動局からの発呼に基づく通信が開始される前に、前記判別ステップにおいて判別した基地局に対応付けられたアナウンス情報を発呼した前記移動局に送信する送信ステップと、
を含むことを特徴とする通信制御装置の制御方法。
【請求項１０】
移動局が基地局を介して無線通信を行なう通信システムにおける、複数の基地局に接続し、前記移動局と外部ネットワークとを中継して該外部ネットワークとの通信を制御する通信制御装置の制御プログラムであって、
前記移動局からの発呼が前記複数の基地局のいずれの基地局を経由して行なわれたかを判別する判別ステップと、
前記移動局からの発呼に基づく通信が開始される前に、前記判別ステップにおいて判別した基地局に対応付けられたアナウンス情報を発呼した前記移動局に送信する送信ステップと、
をコンピュータに実行させることを特徴とする制御プログラム。
【発明の詳細な説明】
【技術分野】
【０００１】
本発明は、移動局の現在位置に対応するアナウンスを配信する技術に関する。
【背景技術】
【０００２】
上記技術分野において、特許文献１には、移動端末が無線サービスエリアに入った場合に、無線サービスエリアを制御する無線基地局装置に対応するアナウンス、例えば病院の場合の電源ＯＦＦなど、を交換機から当該移動端末の発呼する技術が開示されている。
【０００３】
また、特許文献２には、フェムトあるいはピコセルの無線アクセスポイントに接続するアクセスノードが、移動端末との通話以外にメディア部分の通信用のメディアゲートウェイを有して、コアネットワークとの複数経路の情報通信が可能な技術が開示されている。
【先行技術文献】
【特許文献】
【０００４】
【特許文献１】特開２００１−１１２０５２号公報
【特許文献２】特表２０１０−５０７３４５号公報
【発明の概要】
【発明が解決しようとする課題】
【０００５】
しかしながら、上記従来技術では、移動端末へのアナウンス機能は、移動端末への発呼あるいは移動端末からの発呼による回線接続によって実現するものである。したがって、通話とアナウンスとに対して異なる接続処理を行なう必要があり、移動端末を操作するユーザにとってもアナウンス機能を提供する装置にとっても余分な処理が必要であった。
【０００６】
本発明の目的は、上述の課題を解決する技術を提供することにある。
【課題を解決するための手段】
【０００７】
上記目的を達成するため、本発明に係るシステムは、
移動局が基地局を介して無線通信を行なう通信システムであって、
前記移動局からの発呼が複数の基地局のいずれの基地局を経由して行なわれたかを判別する判別手段と、
前記移動局からの発呼に基づく通信が開始される前に、前記判別手段が判別した基地局に対応付けられたアナウンス情報を発呼した前記移動局に送信する送信手段と、
を備えることを特徴とする。
【０００８】
上記目的を達成するため、本発明に係る方法は、
移動局が基地局を介して無線通信を行なう通信システムにおける通信方法であって、
前記移動局からの発呼がいずれの基地局を経由して行なわれたかを判別する判別ステップと、
前記移動局からの発呼に基づく通信が開始される前に、前記判別ステップにより判別した基地局に対応付けられたアナウンス情報を発呼した前記移動局に送信する送信ステップと、
を含むことを特徴とする。
【０００９】
上記目的を達成するため、本発明に係る装置は、
移動局が基地局を介して無線通信を行なう通信システムにおける、複数の基地局に接続し、前記移動局と外部ネットワークとを中継して該外部ネットワークとの通信を制御する通信制御装置であって、
前記移動局からの発呼が前記複数の基地局のいずれの基地局を経由して行なわれたかを判別する判別手段と、
前記移動局からの発呼に基づく通信が開始される前に、前記判別手段が判別した基地局に対応付けられたアナウンス情報を発呼した前記移動局に送信する送信手段と、
を有することを特徴とする。
【００１０】
上記目的を達成するため、本発明に係る方法は、
移動局が基地局を介して無線通信を行なう通信システムにおける、複数の基地局に接続し、前記移動局と外部ネットワークとを中継して該外部ネットワークとの通信を制御する通信制御装置の制御方法であって、
前記移動局からの発呼が前記複数の基地局のいずれの基地局を経由して行なわれたかを判別する判別ステップと、
前記移動局からの発呼に基づく通信が開始される前に、前記判別ステップにおいて判別した基地局に対応付けられたアナウンス情報を発呼した前記移動局に送信する送信ステップと、
を含むことを特徴とする。
【００１１】
上記目的を達成するため、本発明に係るプログラムは、
移動局が基地局を介して無線通信を行なう通信システムにおける、複数の基地局に接続し、前記移動局と外部ネットワークとを中継して該外部ネットワークとの通信を制御する通信制御装置の制御プログラムであって、
前記移動局からの発呼が前記複数の基地局のいずれの基地局を経由して行なわれたかを判別する判別ステップと、
前記移動局からの発呼に基づく通信が開始される前に、前記判別ステップにおいて判別した基地局に対応付けられたアナウンス情報を発呼した前記移動局に送信する送信ステップと、
をコンピュータに実行させることを特徴とする。
【発明の効果】
【００１２】
本発明によれば、発呼による通信が開始される前にアナウンスを行なうことにより、余分な操作や処理を必要としないアナウンス機能を達成できる。
【図面の簡単な説明】
【００１３】
【図１】本発明の第１実施形態に係る通信システムの構成を示すブロック図である。
【図２】本発明の第２実施形態に係る通信システムの構成を示すブロック図である。
【図３】本発明の第２実施形態に係る通信システムの処理手順を示すシーケンス図である。
【図４】本発明の第２実施形態に係る通信制御装置であるＨＮＢ−ＧＷの構成を示すブロック図である。
【図５】本発明の第２実施形態に係るＨＮＢ−ＧＷが使用するデータの構成を示す図である。
【図６Ａ】本発明の第２実施形態に係るＨＮＢ−ＧＷの処理手順を示すフローチャートである。
【図６Ｂ】本発明の第２実施形態に係るＨＮＢ−ＧＷの処理手順を示すフローチャートである。
【図６Ｃ】本発明の第２実施形態に係るＨＮＢ−ＧＷの処理手順を示すフローチャートである。
【図７】本発明の第３実施形態に係る通信システムの構成を示すブロック図である。
【図８】本発明の第３実施形態に係る通信システムの処理手順を示すシーケンス図である。
【図９】本発明の第３実施形態に係る通信制御装置であるＨＮＢ−ＧＷの構成を示すブロック図である。
【図１０】本発明の第３実施形態に係るＨＮＢ−ＧＷが使用するデータの構成を示す図である。
【図１１】本発明の第３実施形態に係るＨＮＢ−ＧＷの処理手順を示すフローチャートである。
【図１２】本発明の第４実施形態に係る通信システムの構成を示すブロック図である。
【図１３】本発明の第４実施形態に係る通信システムの処理手順を示すシーケンス図である。
【図１４】本発明の第４実施形態に係るＨＮＢ−ＧＷの処理手順を示すフローチャートである。
【図１５】本発明の第５実施形態に係る通信システムの構成を示すブロック図である。
【図１６】本発明の第５実施形態に係る通信システムの処理手順を示すシーケンス図である。
【図１７】本発明の第５実施形態に係る通信制御装置であるＨＮＢ−ＧＷの構成を示すブロック図である。
【図１８】本発明の第５実施形態に係るＨＮＢ−ＧＷが使用するデータの構成を示す図である。
【図１９】本発明の第５実施形態に係るＨＮＢ−ＧＷの処理手順を示すフローチャートである。
【図２０】本発明の第６実施形態に係る通信システムの構成を示すブロック図である。
【図２１】本発明の第６実施形態に係る通信システムの処理手順を示すシーケンス図である。
【図２２】本発明の第７実施形態に係る通信システムの構成を示すブロック図である。
【発明を実施するための形態】
【００１４】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１５】
［第１実施形態］
本発明の第１実施形態としての通信システム１００について、図１を用いて説明する。通信システム１００は、移動局１１０が基地局１２０を介して無線通信を行なうシステムである。図１に示すように、通信システム１００は、基地局判別部１３０とアナウンス送信部１４０とを含む。基地局判別部１３０は、移動局１１０からの発呼１０１が複数の基地局１２０のいずれの基地局を経由して行なわれたかを判別する。アナウンス送信部１４０は、移動局１１０からの発呼１０１に基づく通信１０３が開始される前に、基地局判別部１３０が判別した基地局に対応付けられたアナウンス情報１０２を発呼１０１した移動局１１０に送信する。
【００１６】
本実施形態によれば、発呼による通信が開始される前にアナウンスを行なうことにより、余分な操作や処理を必要としないアナウンス機能を達成できる。
【００１７】
［第２実施形態］
次に、本発明の第２実施形態の通信システムについて説明する。第２実施形態の通信システムでは、移動局からの発呼があると、通信制御装置であるゲートウェイにおいてどの基地局を経由したかを判別して、発呼に対する通信開始前に、判別した基地局に対応したアナウンスを移動局に送る。本実施形態によれば、基地局の設置位置に依存した注意喚起や広告などを発呼に対する通信開始前にアナウンスすることができる。なお、本実施形態は、好適には、フェムトセル、ピコセル、ナノセルなどの小さな通話エリアにおいて特に有用であるが、以下の説明はそれらを代表して、フェムトセルにおける構成及び動作を説明する。また、フェムトセルは、3GPP(Third Generation Partnership Project)  TS25.467にて規定されるＨＮＢ(3G Home NodeB)やＬＴＥ(Long Term Evolution)におけるＨｅＮＢ(Home E-UTRAN NodeB)により制御されるが、本実施形態ではＨＮＢによるフェムトセルを代表して説明する。
【００１８】
〈第２実施形態の通信システムの構成〉
図２は、第２実施形態に係る通信システム２００の構成を示すブロック図である。
【００１９】
図２において、ＨＮＢ２２０は、フェムト基地局と呼ばれ第３世代の無線方式(W-CDMA)に対応した小型無線基地局を示す。ＨＮＢ−ＧＷ(3G HNB Gateway)２１０は、大量のＨＮＢ２２０を集約し、上位装置あるいは外部ネットワークとなるコアネットワーク（以下、ＣＮ:Core Network)２４０に接続するためのゲートウェイ装置を示す。すなわち、ＨＮＢ−ＧＷ２１０は、複数のフェムト基地局をＣＮ２４０に中継するフェムト基地局用のゲートウェイである。ＵＥ（User equipment）２３０は、ユーザが所有する移動局である携帯端末を示す。ＭＧＷ(Media Gateway)２１４は、ネットワークと接続してメディア情報を取得可能であり、アナウンス機能を具備するコーデック・メディア変換機能を含むメディアゲートウェイ装置を示す。複数のＨＮＢ２２０は、ＨＮＢ−ＧＷ２１０に接続され、ＨＮＢ−ＧＷ２１０を経由してＣＮ２４０と通信を行う。本実施形態においては、ＨＮＢ−ＧＷ２１０内部にはＭＧＷ２１４が配置される。なお、ＭＧＷ２１４は、ＨＮＢ−ＧＷ２１０内部で独立した動作をする構成であっても、ＨＮＢ−ＧＷ２１０に１機能として組み込まれても良い。
【００２０】
（第２実施形態のＨＮＢ−ＧＷの機能構成）
図２で示されるＭＧＷ機能を含むＨＮＢ−ＧＷ２１０の機能構成を説明する。
【００２１】
図２に示されるように、ＨＮＢ−ＧＷ２１０は、他の装置(ＵＥ，ＨＮＢ等)とのＨＮＢＡＰ(Home Node B Application Part)、ＲＡＮＡＰ(Radio Access Network Application Part)あるいはＲＵＡ(RANAP User Adaption)プロトコル等の信号の送受信を行う通信制御部２１１を有する。また、ＵＥ２３０からの発呼を受けた場合に、どのＨＮＢ２２０を経由して受信したか及びそのＨＮＢ２２０がアナウンスをすべきＨＮＢであるかを判別するＨＮＢ判別部２１２を有する。また、ＨＮＢ判別部２１２が判別したＨＮＢ２２０に対応するアナウンスを選択してＭＧＷ２１４に指定するアナウンス指定部２１３を有する。また、ＨＮＢ判別部２１２が判別したＨＮＢ２２０を経由して、発呼したＵＥ２３０に対してアナウンス指定部２１３により指定されたアナウンスを送るアナウンス部２１５を含む、ＭＧＷ２１４を有する。ＭＧＷ２１４は、音声データのＩＰ⇔ＡＴＭ(Internet Protocol⇔Asynchronous Transfer Mode)変換やパス制御を実施する機能を有している。
【００２２】
〈第２実施形態の通信システムの動作シーケンス〉
図３は、第２実施形態に係る通信システムの処理手順３００を示すシーケンス図である。本実施形態では、あらかじめＨＮＢ−ＧＷ２１０に登録した特定の位置に設置されるＨＮＢ２２０からの音声呼の接続に先立って、ＨＮＢ２２０の設置位置に依存した注意喚起や広告などを発呼に対する通信開始前にアナウンスすることを可能とする。
【００２３】
ＨＮＢ−ＧＷ２１０のデータベース（以下、ＤＢと称す）には、予めアナウンス対象のＨＮＢ２２０にどのようなアナウンスを接続するかの情報を登録している。ＵＥ２３０がＨＮＢ２２０を経由して音声呼を発信すると、ＳＥＴＵＰメッセージがＣＮ２４０に送られ（Ｓ３０１）、ＣＡＬＬ  ＰＲＯＣＥＳＳＩＮＧが開始される（Ｓ３０３）。その中で、音声呼を発信したＵＥ２３０の性能を確認するためのラジオベアラ(RB:Radio bearer)の確立が次のプロトコルで行なわれる。まず、ＣＮ２４０からRAB(Radio Access Bearer) Assignment Req.メッセージがＨＮＢ−ＧＷ２１０を経由してＨＮＢ２２０に送られる（Ｓ３０５）。ＨＮＢ２２０とＵＥ２３０との間で、RB Setup Req.メッセージとRB Setup Resp.メッセージとのやり取りが行なわれる（Ｓ３０７）。ＨＮＢ２２０は、RB Setup Resp.メッセージを受けて、RAB Assignment Resp.メッセージをＨＮＢ−ＧＷ２１０に返す。ここで、Req.はRequest（要求）の略、Resp.はResponse（応答）の略である。
【００２４】
ＨＮＢ−ＧＷ２１０は、RAB Assignment Resp.メッセージの応答を受けても直ぐに中継してＣＮ２４０に返さずに、本実施形態のアナウンス処理を行なう。ＨＮＢ−ＧＷ２１０は、まず、ＵＥ２３０からの音声呼を経由したＨＮＢ２２０を特定し、特定されたＨＮＢ２２０がアナウンス対象のＨＮＢ２２０か否かをデータベースの情報をもとに判別する（Ｓ３１１）。なお、ＨＮＢ２２０を識別するＨＮＢｉＤは、ＳＥＴＵＰメッセージ（Ｓ３０１）などから知ることができる。アナウンス対象のＨＮＢ２２０でなければ、ＨＮＢ−ＧＷ２１０は通常の呼接続処理へ進む（Ｓ３１３）。
【００２５】
アナウンス対象のＨＮＢ２２０であれば、ＨＮＢ２２０に対応するアナウンスデータをデータベースのデータから指定する（Ｓ３１５）。次に、ＨＮＢ−ＧＷ２１０は、3GPP TS24.008に定義されるＣＣ(Call Control)プロトコルのPROGRESSメッセージのprogress indicatorに、アナウンス接続を意味するNo.8(in-band information or appropriate pattern is now available)を設定し、ＵＥ２３０に送信する（Ｓ３１７）。その後、ＨＮＢ−ＧＷ２１０は、ラジオベアラ確立時に受信するRANAP:RAB Assignment Req.メッセージに含まれるNAS(Non Access Stratum) Synchronization Indicator IE(Information Element)の設定などから、ＵＥ２３０が許容する音声符号化に使用するＣｏｄｅｃを判別する（Ｓ３１９）。そして、ＭＧＷ２１４にて適切なＣｏｄｅｃ変換を実施した上で（Ｓ３２１）、データベースに設定される該当アナウンスをＵＥ２３０に接続する（Ｓ３２３）。
【００２６】
アナウンス終了前に通話先の呼び出し音を含むＣＣ:ALERTINGメッセージを受信した場合は（Ｓ３２７）、アナウンスが終了するまでＨＮＢ−ＧＷ２１０にてキューイングして待機させる（Ｓ３２９）。そして、アナウンス終了後にＵＥ２３０に送信し（Ｓ３３１）、音声呼の接続処理を継続する。一方、アナウンス完了前に通信先のオフフックによる接続を示すＣＣ:CONNECTメッセージを受信した場合は（Ｓ３３３）、アナウンスを停止してＣＮ２４０側にパス切り替えを行い、音声呼の接続を行い通話を確立する（Ｓ３３５）。
【００２７】
〈第２実施形態のＨＮＢ−ＧＷのハードウェア構成〉
図４は、第２実施形態に係る通信制御装置であるＨＮＢ−ＧＷ２１０のハードウェア構成を示すブロック図である。
【００２８】
図４で、ＣＰＵ４１０は演算制御用のプロセッサであり、プログラムを実行することでＨＮＢ−ＧＷ２１０の各機能構成部を実現する。ＲＯＭ４２０は、初期データ及びプログラムなどの固定データ及びプログラムを記憶する。通信制御部２１１は、ネットワークを介して、ＨＮＢ２２０及びＣＮ２４０と通信する。通信は無線でも有線でもよい。
【００２９】
ＲＡＭ４４０は、ＣＰＵ４１０が一時記憶のワークエリアとして使用するランダムアクセスメモリである。ＲＡＭ４４０には、本実施形態の実現に必要なデータを記憶する領域が確保されている。各領域には、発呼したＵＥ２３０が経由したＨＮＢ２２０を識別するＨＮＢｉＤ４４１が記憶される。また、発呼したＵＥ２３０に送信されるアナウンスデータ４４２が記憶される。かかるＨＮＢｉＤ４４１とアナウンスデータ４４２とは、ＨＮＢ−ＧＷ２１０が接続処理中のＨＮＢの数だけ記憶される。
【００３０】
ＲＡＭ４４０には、発呼したＵＥ２３０を識別するＵＥｉＤとアナウンス中であるか否かを示すアナウンス中フラグ４４３が記憶される。また、使用するＣｏｄｅｃを判別するためにRAB Assignment Req.のパラメータ４４４が記憶される。また、判別されたＣｏｄｅｃｉＤ４４５が記憶される。また、ＣＮ２４０から送られたALERTINGメッセージのALERTING情報４４６、COONECTメッセージのCONNECT情報４４７が、ＵＥ２３０への転送のために記憶される。図４には詳細に示さないが、かかる４４３から４４７のデータは、各ＨＮＢに関連付けてＨＮＢ−ＧＷ２１０が接続処理中のＵＥの数だけ記憶される。
【００３１】
ストレージ４５０は、データベースや各種のパラメータ、ＣＰＵ４１０が実行するプログラムを、不揮発に記憶する大容量記憶装置である。ストレージ４５０には、本実施形態の実現に必要な以下のデータ又はプログラムが記憶されている。データとしては、ＨＮＢ２２０に対応付けて、そのＨＮＢがアナウンス対象であるかのフラグと、アナウンス情報を指示するポインタとからなるＨＮＢテーブル４５１を格納する。また、種々の警告やメッセージ、広告などを含むアナウンスデータを記憶するアナウンスＤＢ４５２を格納する。また、本実施形態では、プログラムとして、ＨＮＢ−ＧＷ２１０全体の制御手順を示すＨＮＢ−ＧＷ制御プログラム４５３（図６Ａ〜図６Ｃ参照）と、ＭＧＷ２１４を制御するＭＧＷ制御モジュール４５４とを格納する。
【００３２】
なお、図４には、本実施形態に必須なデータやプログラムのみが示されており、ＯＳなどの汎用のデータやプログラムは図示されていない。
【００３３】
〈ＨＮＢ−ＧＷの使用するデータの構成〉
以下、第２実施形態で使用される特徴的なデータの構成を示す。図５は、第２実施形態に係るＨＮＢ−ＧＷが使用するデータの構成を示す図である。
【００３４】
（ＨＮＢテーブルの構成）
図５の左図は、第２実施形態のＨＮＢテーブル４５１の構成を示す。ＵＥ２３０からの発呼を経由したＨＮＢ２２０を識別する識別子であるＨＮＢｉＤ５５１に対応付けられて、アナウンス対象であるか否かを表わすフラグ（ＹＥＳ／ＮＯ）５５２と、アナウンスＤＢ４５２のアナウンスする情報へのポインタ５５３とが記憶される。
【００３５】
（アナウンスＤＢの構成）
図５の右図は、アナウンスＤＢ４５２の構成を示す。ＨＮＢテーブル４５１のポインタ５５３により指示される位置に、アナウンスデータＡ（５５４）、アナウンスデータＢ（５５４）が格納される。
【００３６】
図５においては、ＨＮＢｉＤ５５１が“００１”と“００３”のＨＮＢがアナウンス対象であり、アナウンスデータＡとＢがそれぞれアナウンスされることになる。
【００３７】
〈第２実施形態のＨＮＢ−ＧＷの動作手順〉
図６Ａ〜図６Ｃは、第２実施形態に係るＨＮＢ−ＧＷの処理手順を示すフローチャートである。本フローチャートは、ＣＰＵ４１０によりＲＡＭ４４０を使用しながら実行されて、図２のＨＮＢ−ＧＷ２１０の各機能構成部が実現される。
【００３８】
まず、図６ＡのステップＳ６０１、Ｓ６０３、Ｓ６１５において、ＨＮＢ−ＧＷ２１０に発生したイベントが、ＨＮＢ２２０やＵＥ２３０からの受信によるものか、ＣＮ２４０からの受信によるものか、アナウンスの終了によるものか、を判定する。
【００３９】
ＨＮＢ２２０を経由したＵＥ２３０からの発呼であれば、ステップＳ６０１からＳ６０５に進んで、ＳＥＴＵＰメッセージか否かを判断する。ＳＥＴＵＰメッセージであれば、ステップＳ６１１においてＣＮ２４０にＳＥＴＵＰメッセージを転送する。そして、ステップＳ６１３において、発呼を経由したＨＮＢ２２０のＨＮＢｉＤを取得して記憶する。また、ＨＮＢ２２０を経由したＵＥ２３０からのＣＯＮＮＥＣＴ  ＡＣＫの応答であれば、ステップＳ６０７からＳ６１５に進んで、ＣＮ２４０にＣＯＮＮＥＣＴ  ＡＣＫを転送して、発呼先との通話か確立する。また、ＨＮＢ２２０からのＵＥ２３０によるRB Setup Resp.に基づくRAB Assignment Resp.であれば、図６ＢのステップＳ６１７に進む。ＨＮＢ２２０やＵＥ２３０からの受信が上記いずれでもなければ、他の処理を行なう。
【００４０】
図６ＢのステップＳ６１７においては、取得したＨＮＢｉＤからＨＮＢテーブル４５１を参照して、このＨＮＢがアナウンス対象か否かを判断する。アナウンス対象でなければ（例えば、図５のＨＮＢｉＤ“００２”のＨＮＢ参照）、通常の呼接続処理へ進む。具体的には、ＨＮＢ−ＧＷ２１０はアナウンス無しにＣＮ２４０にRAB Assignment Resp.を転送する。次に、ステップＳ６１９において、ＰＲＯＧＲＥＳＳメッセージの、アナウンス接続を意味するprogress indicator No.8をＯＮにして、発呼したＵＥ２３０にアナウンスの開始を通知する。続いて、ステップＳ６２１において、後述のステップＳ６３１−Ｓ６３７でＣＮ２４０から受信したRAB Assignment Req.のパラメータから使用するＣｏｄｅｃを特定する。ステップＳ６２３において、ＨＮＢｉＤからＨＮＢテーブル４５１を参照してアナウンスデータを読み出し、ステップＳ６２１において特定したＣｏｄｅｃで符号化して発呼したＵＥ２３０にアナウンスを開始する。同時に、ステップＳ６２３において、アナウンス中フラグ４４３をＯＮにする。なお、アナウンス処理は、ＨＮＢ−ＧＷ２１０内部のＭＧＷ２１４のアナウンス部２１５が独自に実行するのが好ましい。アナウンスが開始すると、ステップＳ６２５において、呼処理を継続するためＨＮＢ−ＧＷ２１０で保留していたRAB Assignment Resp.をＣＮ２４０に転送する。
【００４１】
図６Ａに戻って、ＨＮＢ−ＧＷ２１０に発生したイベントがＣＮ２４０からの受信によるものであれば、ステップＳ６０３から図６ＣのステップＳ６３３に進む。図６ＣのステップＳ６３３においては、ＣＮ２４０からのRAB Assignment Req.メッセージか否かが判断される。RAB Assignment Req.メッセージであればステップＳ６３９に進んで、RAB Assignment Req.メッセージをＵＥ２３０からの発呼を経由したＨＮＢ２２０に転送する。同時に、ステップＳ６２１での使用するためにRAB Assignment Req.メッセージのパラメータを保持する。ＣＮ２４０からのメッセージがＡＬＥＲＴＩＮＧであれば、ステップＳ６３５からＳ６４１に進んで、発呼したＵＥ２３０が現在アナウンス中か否かがアナウンス中フラグ４４３により判断される。アナウンス中と判断されればステップＳ６４３に進んで、ＡＬＥＲＴＩＮＧメッセージはＵＥ２３０に送られずにＨＮＢ−ＧＷ２１０内にキューイングされる。一方、アナウンス中でないと判断されればステップＳ６４５に進んで、ＡＬＥＲＴＩＮＧメッセージはＵＥ２３０に転送される。ＣＮ２４０からのメッセージがＣＯＮＮＥＣＴであれば、ステップＳ６３７からＳ６４７に進んで、アナウンスを即時に中止してアナウンス中フラグ４４３をＯＦＦにする。次に、ＣＯＮＮＥＣＴメッセージを発呼したＵＥ２３０に転送する。
【００４２】
図６Ａに戻って、実行中のアナウンスを終了した場合は、ステップＳ６１５から図６ＢのステップＳ６２７に進む。図６ＢのステップＳ６２７においては、対象ＵＥ２３０のアナウンス中フラグ４４３をＯＦＦにする。ステップＳ６２９において、図６ＣのステップＳ６４３におけるＡＬＥＲＴＩＮＧのキューイングがされているか否かを判断する。キューイングされていればステップＳ６３１に進んで、保留していたＡＬＥＲＴＩＮＧメッセージを対象ＵＥ２３０に転送する。キューイングされていなければ処理を終了して、ＣＮ２４０からのＡＬＥＲＴＩＮＧあるいはＣＯＮＮＥＣＴを待つことになる。
【００４３】
［第３実施形態］
次に、本発明の第３実施形態の通信システムについて説明する。第２実施形態では、ＨＮＢに対応してアナウンスするか否か及びアナウンス内容が予め設定されていた。従って、病院などに固定されたＨＮＢにおいて“携帯の電源をＯＦＦして下さい”などのアナウンスをする場合には適用できる。しかしながら、ＨＮＢが移動可能であって設置場所が自由に変更される場合には、その度にアナウンスするか否かやアナウンス内容を設定する手間がかかる。本実施形態においては、ＨＮＢの現在位置を判定し、現在位置においてアナウンスが必要か否かと、必要な場合のアナウンスの内容を、ＨＮＢ−ＧＷで判断して、発呼による通信開始前のアナウンスを行なう。本実施形態によれば、ＨＮＢの設置場所が変更された場合においても、発呼による通信開始前のアナウンスが実現できる。
【００４４】
〈第３実施形態の通信システムの構成〉
図７は、第３実施形態に係る通信システム７００の構成を示すブロック図である。
【００４５】
図７においては、図２と異なる構成はＨＮＢ−ＧＷ７１０内部の構成であって、他の構成は図２の構成と同様である。したがって、ＨＮＢ−ＧＷ７１０の構成のみを説明し、他の説明は省略する。
【００４６】
（第３実施形態のＨＮＢ−ＧＷの機能構成）
図７で示されるＭＧＷ機能を含むＨＮＢ−ＧＷ７１０の機能構成を説明する。
【００４７】
図７に示されるように、ＨＮＢ−ＧＷ７１０は、他の装置(ＵＥ，ＨＮＢ等)とのＨＮＢＡＰ(Home Node B Application Part)、ＲＡＮＡＰ(Radio Access Network Application Part)あるいはＲＵＡ(RANAP User Adaption)プロトコル等の信号の送受信を行う通信制御部２１１を有する。また、ＵＥ２３０からの発呼を受けた場合に、経由したＨＮＢ２２０の現在の配置位置を判定するＨＮＢ位置判定部７１２を有する。また、ＨＮＢ位置判定部７１２が判定したＨＮＢ２２０の配置位置がアナウンスをすべき位置か及びその配置位置に対応するアナウンスを選択して、ＭＧＷ２１４に指定するアナウンス指定部７１３を有する。また、ＨＮＢ２２０を経由して、発呼したＵＥ２３０に対してアナウンス指定部７１３によりＨＮＢ２２０の配置位置に対応して指定されたアナウンスを送るアナウンス部２１５を含む、ＭＧＷ２１４を有する。ＭＧＷ２１４は、音声データのＩＰ⇔ＡＴＭ(Internet Protocol⇔Asynchronous Transfer Mode)変換やパス制御を実施する機能を有している。
【００４８】
〈第３実施形態の通信システムの動作シーケンス〉
図８は、第３実施形態に係る通信システムの処理手順８００を示すシーケンス図である。図３の第２実施形態の処理手順３００においては、特定されたＨＮＢ２２０がアナウンス対象のＨＮＢ２２０か否かをデータベースの情報をもとに判別した（Ｓ３１１）。これに対して、図８の第３実施形態の処理手順８００においては、ＨＮＢ２２０の現在位置がアナウンス対象の位置か否かをデータベースの情報をもとに判別する（Ｓ８１１）。
【００４９】
また、図３の第２実施形態の処理手順３００においては、特定されたＨＮＢ２２０に対応するアナウンスデータをデータベースの情報から指定した（Ｓ３１５）。これに対して、図８の第３実施形態の処理手順８００においては、ＨＮＢ２２０の現在位置に対応するアナウンスデータをデータベースの情報から指定する（Ｓ８１５）。
【００５０】
図８においては、上記シーケンスが図３と置き換わるのみで他のシーケンスは同様であるので、他のシーケンスの説明は省略する。
【００５１】
〈第３実施形態のＨＮＢ−ＧＷのハードウェア構成〉
図９は、第３実施形態に係る通信制御装置であるＨＮＢ−ＧＷ７１０のハードウェア構成を示すブロック図である。
【００５２】
図９において、図４との相違はＲＡＭ９４０の記憶データと、ストレージ９５０に記憶されたデータ及びプログラムとである。図９の他の構成は図４と同様なので、説明は省略する。
【００５３】
ＲＡＭ９４０には、本実施形態の実現に必要なデータを記憶する領域が確保されている。各領域には、発呼したＵＥ２３０が経由したＨＮＢ２２０を識別するＨＮＢｉＤ４４１が記憶される。本実施形態では、発呼したＵＥ２３０が経由したＨＮＢ２２０に対応付けてＨＮＢ現在位置情報９４１が記憶される。また、発呼したＵＥ２３０に送信されるアナウンスデータ４４２が記憶される。かかるＨＮＢｉＤ４４１とＨＮＢ現在位置情報９４１とアナウンスデータ４４２とは、ＨＮＢ−ＧＷ２１０が接続処理中のＨＮＢの数だけ記憶される。
【００５４】
ＲＡＭ４４０には、更に、図４と同様の４４３から４４７のデータが、各ＨＮＢに関連付けてＨＮＢ−ＧＷ２１０が接続処理中のＵＥの数だけ記憶される。
【００５５】
ストレージ９５０には、本実施形態の実現に必要な以下のデータ又はプログラムが記憶されている。データとしては、ＨＮＢ２２０が配置されている現在位置に対応付けて、アナウンス対象であるかのフラグと、アナウンス情報を指示するポインタとからなる現在位置テーブル９５１を格納する。また、種々の警告やメッセージ、広告などを含むアナウンスデータを記憶するアナウンスＤＢ４５２を格納する。また、本実施形態では、プログラムとして、ＨＮＢ−ＧＷ７１０全体の制御手順を示すＨＮＢ−ＧＷ制御プログラム９５３（図１１参照）と、ＭＧＷ２１４を制御するＭＧＷ制御モジュール４５４とを格納する。
【００５６】
なお、図９には、本実施形態に必須なデータやプログラムのみが示されており、ＯＳなどの汎用のデータやプログラムは図示されていない。
【００５７】
〈ＨＮＢ−ＧＷの使用するデータの構成〉
以下、第３実施形態で使用される特徴的なデータの構成を示す。図１０は、第３実施形態に係るＨＮＢ−ＧＷが使用するデータの構成を示す図である。
【００５８】
（ＨＮＢ現在位置情報の構成）
図１０の左上図は、ＨＮＢ現在位置情報９４１の構成を示す。ＨＮＢ現在位置情報９４１は、ＵＥ２３０からの発呼を接続中の各ＨＮＢ２２０を識別する識別子であるＨＮＢｉＤ１０４１に対応付けて、ＨＮＢ現在位置ｉＤ１０４２を記憶している。なお、図１０には、理解し易いように、複数のＨＮＢ２２０の情報をテーブル状に図示している。
【００５９】
（現在位置テーブルの構成）
図１０の左下図は、現在位置テーブル９５１の構成を示す。位置を識別する識別子である位置ｉＤ１０５１に対応付けられて、アナウンス対象であるか否かを表わすフラグ（ＹＥＳ／ＮＯ）１０５２と、アナウンスＤＢ４５２のアナウンスする情報へのポインタ１０５３とが記憶される。
【００６０】
（アナウンスＤＢの構成）
図１０の右図は、アナウンスＤＢ４５２の構成を示す。この構成は、第２実施形態の図５と同様である。
【００６１】
図１０においては、ＨＮＢｉＤ５５１が“００１”と“００２”のＨＮＢが位置ｉＤ“１００１”と“１００２”に配置されており、アナウンスデータＡとＢがそれぞれアナウンスされることになる。
【００６２】
〈第３実施形態のＨＮＢ−ＧＷの動作手順〉
図１１は、第３実施形態に係るＨＮＢ−ＧＷ７１０の処理手順を示すフローチャートである。なお、第３実施形態の処理手順は、第２実施形態の図６Ａ〜図６Ｃの処理手順の内、ステップＳ６０９でRAB Assignment Resp.をＨＮＢから受信した場合の図６Ｂの左側（Ｓ６１７〜Ｓ６２５）を図１１に置き換えたものである。他のステップは第２実施形態と同様であるので、図示及び説明は省略する。
【００６３】
図６ＡのステップＳ６０９から図１１のステップＳ１１０１に進む。図１１のステップＳ１１０１においては、取得したＨＮＢの現在位置から現在位置テーブル９５１を参照して、このＨＮＢがアナウンス対象か否かを判断する。アナウンス対象でなければ（例えば、図１０の位置ｉＤ“１００２”に配置されたＨＮＢ参照）、通常の呼接続処理へ進む。具体的には、ＨＮＢ−ＧＷ７１０はアナウンス無しにＣＮ２４０にRAB Assignment Resp.を転送する。以下の処理は、第２実施形態と同様である。次に、ステップＳ６１９において、ＰＲＯＧＲＥＳＳメッセージの、アナウンス接続を意味するprogress indicator No.8をＯＮにして、発呼したＵＥ２３０にアナウンスの開始を通知する。続いて、ステップＳ６２１において、ＣＮ２４０から受信したRAB Assignment Req.のパラメータから使用するＣｏｄｅｃを特定する。ステップＳ６２３において、ＨＮＢｉＤからＨＮＢテーブル４５１を参照してアナウンスデータを読み出し、ステップＳ６２１において特定したＣｏｄｅｃで符号化して発呼したＵＥ２３０にアナウンスを開始する。同時に、ステップＳ６２３において、アナウンス中フラグ４４３をＯＮにする。なお、アナウンス処理は、ＨＮＢ−ＧＷ２１０内部のＭＧＷ２１４のアナウンス部２１５が独自に実行するのが好ましい。アナウンスが開始すると、ステップＳ６２５において、ステップＳ６０９からＳ６２３の間、アナウンスを開始するためにＨＮＢ−ＧＷ２１０で保留していたRAB Assignment Resp.をＣＮ２４０に転送する。
【００６４】
［第４実施形態］
次に、本発明の第４実施形態の通信システムについて説明する。第２及び第３実施形態では、ＨＮＢ−ＧＷ内部にＭＧＷを有していた。したがって、ＨＮＢ−ＧＷ内部にＭＧＷを組み込むための設計変更が必要となる上に、特にＨＮＢ−ＧＷがＭＧＭの処理の一部を行なう場合には、ＨＮＢ−ＧＷへの負担が大きい。そこで、本実施形態においては、ＭＧＷをＨＮＢ−ＧＷ外部に独立して設け、あるいは既存のＭＧＷを使用して、ＭＧＷをＨＮＢ−ＧＷの外部装置とする。本実施形態によれば、既存のＨＮＢ−ＧＷやＭＧＷに対する大きな変更なしに、且つ、ＨＮＢ−ＧＷへの負担を掛けることなく、基地局の設置位置に依存した注意喚起や広告などを発呼に対する通信開始前にアナウンスすることができる。
【００６５】
〈第４実施形態の通信システムの構成〉
図１２は、第４実施形態に係る通信システム１２００の構成を示すブロック図である。
【００６６】
図１２においては、図２と異なる構成はＨＮＢ−ＧＷ１２１０内部の構成と、ＨＮＢ−ＧＷ１２１０外部にあるＭＧＷ１２５０であって、他の構成は図２の構成と同様である。したがって、ＨＮＢ−ＧＷ１２１０の構成とＭＧＷ１２５０の構成のみを説明し、他の説明は省略する。
【００６７】
（第４実施形態のＨＮＢ−ＧＷの機能構成）
図１２で示されるＭＧＷ機能を含むＨＮＢ−ＧＷ１２１０の機能構成を説明する。
【００６８】
図１２に示されるように、ＨＮＢ−ＧＷ１２１０は、他の装置(ＵＥ，ＨＮＢ等)とのＨＮＢＡＰ(Home Node B Application Part)、ＲＡＮＡＰ(Radio Access Network Application Part)あるいはＲＵＡ(RANAP User Adaption)プロトコル等の信号の送受信を行う通信制御部２１１を有する。また、ＵＥ２３０からの発呼を受けた場合に、どのＨＮＢ２２０を経由して受信したか及びそのＨＮＢ２２０がアナウンスすべきＨＮＢかを判別するＨＮＢ判別部２１２を有する。また、ＨＮＢ判別部２１２が判別したＨＮＢ２２０に対応するアナウンスを選択してＭＧＷ２１４に指定するアナウンス指定部２１３を有する。また、ＨＮＢ２２０を経由して、発呼したＵＥ２３０に対してアナウンス指定部７１３によりＨＮＢ２２０の配置位置に対応して指定されたアナウンスを送るように、ＭＧＷ１２５０を制御するＭＧＷ制御部１２１４を有する。ＭＧＷ制御部１２１４は、Megaco(Media gateway control)、MGCP(Media Gateway Control Protocol)などに代表されるＭＧＷを制御するプロトコルを用いてＭＧＷ１２５０の制御を行う。
【００６９】
図１２のＭＧＷ１２５０は既存のＭＧＷであり、アナウンス部１２５１はＭＧＷ制御部１２１４の指示に従って、ＨＮＢ−ＧＷ１２１０の制御無しに直接ＨＮＢ２２０を経由してＵＥ２３０にアナウンスを送ることができる。
【００７０】
〈第４実施形態の通信システムの動作シーケンス〉
図１３は、第４実施形態に係る通信システムの処理手順１３００を示すシーケンス図である。図１３の第３実施形態の処理手順１３００においては、ＭＧＷ１２５０がＨＮＢ−ＧＷ１２１０の外部にあるので、アナウンスに必要な情報がＨＮＢ−ＧＷ１２１０からＭＧＷ１２５０に送られる。そして、ＭＧＷ１２５０のアナウンス部１２５１は直接ＵＥ２３０にアナウンスを送る。
【００７１】
従って、以下のシーケンスが図３のＳ３１５、Ｓ３１９、Ｓ３２１、Ｓ３２３とそれぞれ置き換えられる。まず、アナウンス対象のＨＮＢ２２０の場合に、ＨＮＢ−ＧＷ１２１０がＭＧＷ１２５０に対して、ＨＮＢ２２０に対応するアナウンスデータをデータベースのデータから指定する（Ｓ１３１５）。また、ＨＮＢ−ＧＷ１２１０が、ラジオベアラ確立時に受信するRANAP:RAB Assignment Req.メッセージに含まれるNAS(Non Access Stratum) Synchronization Indicator IE(Information Element)の設定などから、ＵＥ２３０が復号可能な音声符号化のために使用するＣｏｄｅｃを判別して、ＭＧＷ１２５０に通知する（Ｓ１３１９）。そして、ＭＧＷ１２５０にて適切なＣｏｄｅｃ変換を実施した上で（Ｓ１３２１）、データベースに設定される該当アナウンスをＵＥ２３０に直接接続する（Ｓ１３２３）。
【００７２】
他のシーケンスについては、図３と同様であるので、説明は省略する。
【００７３】
〈第４実施形態のＨＮＢ−ＧＷのハードェア構成〉
第４実施形態のハードウェア構成は、アナウンスＤＢが外部のＭＧＷ１２５０に有る違いのみで。第２実施形態と同様であるので、図示及び説明は省略する。
【００７４】
〈第４実施形態のＨＮＢ−ＧＷの動作手順〉
図１４は、第４実施形態に係るＨＮＢ−ＧＷ７１０の処理手順を示すフローチャートである。なお、第４実施形態の処理手順は、第２実施形態の図６Ａ〜図６Ｃの処理手順の内、ステップＳ６０９でRAB Assignment Resp.をＨＮＢから受信した場合の図６Ｂの左側（Ｓ６１７〜Ｓ６２５）を図１４に置き換えたものである。他のステップは第２実施形態と同様であるので、図示及び説明は省略する。
【００７５】
図６ＡのステップＳ６０９から図１４のステップＳ６１７に進む。図１４のステップＳ６１７においては、取得したＨＮＢｉＤからＨＮＢテーブル４５１を参照して、このＨＮＢがアナウンス対象か否かを判断する。アナウンス対象でなければ、通常の呼接続処理へ進む。具体的には、ＨＮＢ−ＧＷ１２１０はアナウンス無しにＣＮ２４０にRAB Assignment Resp.を転送する。次に、ステップＳ６１９において、ＰＲＯＧＲＥＳＳメッセージの、アナウンス接続を意味するprogress indicator No.8をＯＮにして、発呼したＵＥ２３０にアナウンスの開始を通知する。続いて、ステップＳ６２１において、ＣＮ２４０から受信したRAB Assignment Req.のパラメータから使用するＣｏｄｅｃを特定する。本実施形態では、ステップＳ１４２３において、ＨＮＢｉＤからＨＮＢテーブル４５１を参照してアナウンスデータの格納位置及び使用するＣｏｄｅｃの指定をＭＧＷ１２５０に指示する。同時に、ステップＳ１４２３において、アナウンス中フラグ４４３をＯＮにする。なお、アナウンス処理は、ＭＧＷ１２５０のアナウンス部１２５１がＨＮＢ−ＧＷ１２１０の制御無しに直接ＵＥ２３０と行なうのがよい。アナウンスが開始すると、ステップＳ６２５において、ステップＳ６０９からＳ６２３の間、アナウンスを開始するためにＨＮＢ−ＧＷ２１０で保留していたRAB Assignment Resp.をＣＮ２４０に転送する。
【００７６】
［第５実施形態］
次に、本発明の第５実施形態の通信システムについて説明する。上記実施形態では、ＨＮＢのみに対応してアナウンスするか否か及びアナウンス内容が決定されていた。従って、アナウンスをするＨＮＢのセル圏内に入った全ての移動端末にアナウンスがなされることになる。従って、アナウンスをする必要の無いＵＥあるいはユーザに対してもアナウンスがされるし、１回アナウンスすれば良い内容も発呼毎に聞かざるを得なくなる。本実施形態においては、ＨＮＢあるいはその位置がアナウンスを行なうと判別されたとしても、アナウンスが必要ないＵＥあるいはユーザに対してはアナウンスしないよう、ＵＥあるいはユーザによる制御を可能とする。本実施形態によれば、ＨＮＢがアナウンスの必要な位置に配置されている場合においても、ＵＥあるいはユーザに毎に、発呼による通信開始前のアナウンスを行なうか否かを制御できる。例えば、ＣＳＧ(Closed Subscriber Group)や電話番号を使用して特定のＵＥをアナウンスの接続対象／未対象にすることや、過去の接続履歴からすでにアナウンスに接続した履歴があるＵＥはアナウンスに接続しないなどの制御も実施することができる。
【００７７】
〈第５実施形態の通信システムの構成〉
図１５は、第５実施形態に係る通信システム１５００の構成を示すブロック図である。
【００７８】
図１５においては、図２と異なる構成はＨＮＢ−ＧＷ１５１０内部の構成であって、他の構成は図２の構成と同様である。したがって、ＨＮＢ−ＧＷ１５１０の構成のみを説明し、他の説明は省略する。
【００７９】
（第５実施形態のＨＮＢ−ＧＷの機能構成）
図１５で示されるＭＧＷ機能を含むＨＮＢ−ＧＷ１５１０の機能構成を説明する。
【００８０】
図１５に示されるように、ＨＮＢ−ＧＷ１５１０は、他の装置(ＵＥ，ＨＮＢ等)とのＨＮＢＡＰ(Home Node B Application Part)、ＲＡＮＡＰ(Radio Access Network Application Part)あるいはＲＵＡ(RANAP User Adaption)プロトコル等の信号の送受信を行う通信制御部２１１を有する。また、ＵＥ２３０からの発呼を受けた場合に、どのＨＮＢ２２０を経由して受信したか及びそのＨＮＢ２２０がアナウンスをすべきＨＮＢであるかを判別するＨＮＢ判別部２１２を有する。本実施形態では、ＵＥ（あるいはユーザ）の履歴などによってアナウンスを行なうか否かを判定するＵＥ判定部１５１５を有する。また、ＵＥ判定部１５１５が判定したアナウンスすべきＵＥであれば、ＨＮＢ判別部２１２が判別したＨＮＢ２２０に対応するアナウンスを選択して、ＭＧＷ２１４に指定するアナウンス指定部７１３を有する。また、ＨＮＢ２２０を経由して、発呼したＵＥ２３０に対してアナウンス指定部７１３によりＨＮＢ２２０の配置位置に対応して指定されたアナウンスを送るアナウンス部２１５を含む、ＭＧＷ２１４を有する。ＭＧＷ２１４は、音声データのＩＰ⇔ＡＴＭ(Internet Protocol⇔Asynchronous Transfer Mode)変換やパス制御を実施する機能を有している。
【００８１】
〈第５実施形態の通信システムの動作シーケンス〉
図１６は、第５実施形態に係る通信システムの処理手順１６００を示すシーケンス図である。図１６の第５実施形態の処理手順１６００においては、ＵＥ２３０からの音声呼を経由したＨＮＢ２２０を特定し、特定されたＨＮＢ２２０がアナウンス対象のＨＮＢ２２０であると判別した（Ｓ３１１のＹＥＳ）後に、発呼したＵＥ２３０がアナウンス対象のＵＥか否かを判断する（Ｓ１６０１）。アナウンスをするＵＥか否かの判断は、例えば、ＣＳＧや電話番号を使用して特定のＵＥをアナウンスの接続対象／未対象にすることや、過去の接続履歴からすでにアナウンスに接続した履歴があるＵＥはアナウンスに接続しないなどを含む。あるいはＵＥを使用中のユーザの履歴や嗜好を参照してもよい。アナウンスをするＵＥでないと判断すると、ステップＳ３１３に進んで通常の呼接続処理へ進む。アナウンスをするＵＥであれば、以下第２実施形態と同様に図３のＳ３１５からＳ３３５を実行する。他のシーケンスの説明は図３と同様であるので省略する。
【００８２】
〈第５実施形態のＨＮＢ−ＧＷのハードウェア構成〉
図１７は、第５実施形態に係る通信制御装置であるＨＮＢ−ＧＷ１５１０のハードウェア構成を示すブロック図である。
【００８３】
図１７において、図４との相違はストレージ１７５０に記憶されたデータ及びプログラムのみである。図１７の他の構成は図４と同様なので、説明は省略する。
【００８４】
ストレージ１７５０には、本実施形態の実現に必要な以下のデータ又はプログラムが記憶されている。データとしては、ＨＮＢ２２０に対応付けて、そのＨＮＢがアナウンス対象であるかのフラグと、アナウンス情報を指示するポインタとからなるＨＮＢテーブル４５１を格納する。本実施形態では、発呼したＵＥ２３０に対応付けて、そのＵＥがアナウンス対象であるか否かを示すための履歴や、属するグループ情報などからなるＵＥテーブル１７５１を格納する。また、種々の警告やメッセージ、広告などを含むアナウンスデータを記憶するアナウンスＤＢ４５２を格納する。また、本実施形態では、プログラムとして、ＨＮＢ−ＧＷ２１０全体の制御手順を示すＨＮＢ−ＧＷ制御プログラム１７５２（図１９参照）と、ＭＧＷ２１４を制御するＭＧＷ制御モジュール４５４とを格納する。
【００８５】
なお、図１７には、本実施形態に必須なデータやプログラムのみが示されており、ＯＳなどの汎用のデータやプログラムは図示されていない。
【００８６】
〈ＨＮＢ−ＧＷの使用するデータの構成〉
以下、第５実施形態で使用される特徴的なデータの構成を示す。図１８は、第５実施形態に係るＨＮＢ−ＧＷが使用するデータの構成を示す図である。
【００８７】
（ＨＮＢテーブル及びアナウンスＤＢの構成）
図１８のＨＮＢテーブル４５１及びアナウンスＤＢ４５２は、図５と同様であるので説明は省略する。
【００８８】
（ＵＥテーブルの構成）
図１８の左下図は、ＵＥテーブル１７５１の構成を示す図である。
【００８９】
発呼したＵＥ２３０を識別する識別子であるＵＥｉＤ１８５１に対応付けて、既にアナウンスをしたか否か（済／未）を示すアナウンス履歴１８５２、属するグループ情報１８５３、ユーザ情報／端末情報１８５４などが格納される。
【００９０】
図１８においては、ＨＮＢｉＤ５５１が“００１”と“００３”のＨＮＢがアナウンス対象であり、アナウンスデータＡとＢがそれぞれアナウンスされることになる。そして、ＵＥｉＤ“１０００１”のＵＥ２３０が、ＨＮＢｉＤ５５１が“００１”あるいは“００３”のセル圏内に入ればアナウンスを行なう。しかしながら、ＵＥｉＤ“１０００２”や“１０００３”のＵＥ２３０に対しては、ＨＮＢｉＤ５５１が“００１”あるいは“００３”のセル圏内に入っても、アナウンスは行なわない。また、グループＸに属するＵＥ２３０にはアナウンスしないと設定されていれば、ＵＥｉＤ“１０００１”のＵＥ２３０が、ＨＮＢｉＤ５５１が“００１”あるいは“００３”のセル圏内に入っても、アナウンスは行なわない。
【００９１】
〈第５実施形態のＨＮＢ−ＧＷの動作手順〉
図１９は、第５実施形態に係るＨＮＢ−ＧＷ１５１０の処理手順を示すフローチャートである。なお、第５実施形態の処理手順は、第２実施形態の図６Ａ〜図６Ｃの処理手順の内、ステップＳ６０９でRAB Assignment Resp.をＨＮＢから受信した場合の図６Ｂの左側（Ｓ６１７〜Ｓ６２５）を図１９に置き換えたものである。他のステップは第２実施形態と同様であるので、図示及び説明は省略する。
【００９２】
図６ＡのステップＳ６０９から図１９のステップＳ１１０１に進む。図１９のステップＳ６１７においては、取得したＨＮＢｉＤからＨＮＢテーブル４５１を参照して、このＨＮＢがアナウンス対象か否かを判断する。アナウンス対象でなければ（例えば、図１０の位置ｉＤ“１００２”に配置されたＨＮＢ参照）、通常の呼接続処理へ進む。具体的には、ＨＮＢ−ＧＷ７１０はアナウンス無しにＣＮ２４０にRAB Assignment Resp.を転送する。次に、本実施形態では、ステップＳ１９０１において、発呼したＵＥ２３０あるいは使用中のユーザがアナウンス対象か否かを判断する。アナウンス対象でなければ（例えば、図１８のＵＥｉＤ“１０００２”や“１０００３”の既にアナウンス済みのＵＥ参照）、通常の呼接続処理へ進む。
【００９３】
ＵＥ２３０がアナウンス対象である場合の以降の処理は、第２実施形態と同様である。ステップＳ６１９において、ＰＲＯＧＲＥＳＳメッセージの、アナウンス接続を意味するprogress indicator No.8をＯＮにして、発呼したＵＥ２３０にアナウンスの開始を通知する。続いて、ステップＳ６２１において、ＣＮ２４０から受信したRAB Assignment Req.のパラメータから使用するＣｏｄｅｃを特定する。ステップＳ６２３において、ＨＮＢｉＤからＨＮＢテーブル４５１を参照してアナウンスデータを読み出し、ステップＳ６２１において特定したＣｏｄｅｃで符号化して発呼したＵＥ２３０にアナウンスを開始する。同時に、ステップＳ６２３において、アナウンス中フラグ４４３をＯＮにする。なお、アナウンス処理は、ＨＮＢ−ＧＷ２１０内部のＭＧＷ２１４のアナウンス部２１５が独自に実行するのが好ましい。アナウンスが開始すると、ステップＳ６２５において、ステップＳ６０９からＳ６２３の間、アナウンスを開始するためにＨＮＢ−ＧＷ２１０で保留していたRAB Assignment Resp.をＣＮ２４０に転送する。
【００９４】
［第６実施形態］
次に、本発明の第６実施形態の通信システムについて説明する。本発明は、フェムトセルのような小型基地局がＵＥの位置を検出し、小型基地局を集約するＨＮＢ−ＧＷからアナウンス接続するというものである。従って、３Ｇのみではなく、ＬＴＥのＨｅＮＢの単位で位置特定を行い、ＨｅＮＢ−ＧＷにＭＧＷやアナウンス接続機能を持たせることによっても実現することができる。本実施形態は、本発明をＬＴＥシステムに適用した場合の構成例である。
【００９５】
〈第６実施形態の通信システムの構成〉
図２０は、第６実施形態に係る通信システム２０００の構成を示すブロック図である。なお、図２０は、図２のＨＮＢ２２０をＨｅＮＢ２０２０に置き換え、図２のＨＮＢ２２０をＨｅＮＢ２０２０に置き換えた構成であり、本実施形態におけるその役割に相違はない。
【００９６】
（第６実施形態のＨｅＮＢ−ＧＷの機能構成）
図２０で示されるＭＧＷ機能を含むＨｅＮＢ−ＧＷ２０１０の機能構成を説明する。
【００９７】
図２０に示されるように、ＨｅＮＢ−ＧＷ２０１０は、他の装置(ＵＥ，ＨｅＮＢ等)とのＳＩＰ(Session Initiation Protocol)プロトコル等の信号の送受信を行う通信制御部２０１１を有する。また、ＵＥ２３０からの発呼を受けた場合に、どのＨｅＮＢ２０２０を経由して受信したか及びそのＨｅＮＢ２０２０がアナウンスをすべきＨｅＮＢであるかを判別するＨｅＮＢ判別部２０１２を有する。また、ＨｅＮＢ判別部２０１２が判別したＨｅＮＢ２０２０に対応するアナウンスを選択してＭＧＷ２１４に指定するアナウンス指定部２０１３を有する。また、ＨｅＮＢ判別部２０１２が判別したＨｅＮＢ２０２０を経由して、発呼したＵＥ２３０に対してアナウンス指定部２０１３により指定されたアナウンスを送るアナウンス部２０１５を含む、ＭＧＷ２０１４を有する。ＭＧＷ２０１４は、音声データのパス制御を実施する機能を有している。
【００９８】
〈第６実施形態の通信システムの動作シーケンス〉
図２１は、第６実施形態に係る通信システムの処理手順２１００を示すシーケンス図である。
ＨｅＮＢ−ＧＷ２０１０のデータベースには、例えば、第２実施形態の図５のように、予めアナウンス対象のＨｅＮＢ２０２０にどのようなアナウンスを接続するかの情報を登録している。ＵＥ２３０がＨｅＮＢ２０２０を経由して音声呼を発信すると、ＩＮＶＩＴＥメッセージがＣＮ２４０に送られ（Ｓ２１０１）、Offer Response→Response Confirmation→Confirmation Acknowledge→Reservation Conf.（Ｓ２１０３〜Ｓ２１１１）と呼確立のためのシーケンスが実行される。なお、Reservation Conf.は、Reservation Confirmationの略である。
【００９９】
ＣＮ２４０からReservation Conf.(Ｓ２１１１)を受信したＨｅＮＢ−ＧＷ２０１０は、まず、ＵＥ２３０からの音声呼を経由したＨｅＮＢ２０２０を特定し、特定されたＨｅＮＢ２０２０がアナウンス対象のＨｅＮＢ２０２０か否かをデータベースの情報をもとに判別する（Ｓ２１１３）。なお、ＨｅＮＢ２０２０を識別するＨＮＢｉＤは、ＩＮＶＩＴＥメッセージ（Ｓ２１０１）などから知ることができる。アナウンス対象のＨｅＮＢ２０２０でなければ、ＨｅＮＢ−ＧＷ２０１０は通常の呼接続処理へ進む（Ｓ２１１５）。
アナウンス対象のＨｅＮＢ２０２０であれば、ＨｅＮＢ２０２０に対応するアナウンスデータをデータベースのデータから指定する（Ｓ２１１７）。次に、ＨｅＮＢ−ＧＷ２０１０は、呼確立時にやり取りされるＳＩＰメッセージ（Ｓ２１０３〜Ｓ２１１１）からＵＥ２３０が許容する音声符号化に使用するＣｏｄｅｃを判別し（Ｓ２１１９）、ＳＩＰ２００＿ＯＫメッセージをＵＥに送信する（Ｓ２１２１）。そして、ＭＧＷ２０１４にて適切なＣｏｄｅｃ変換を実施した上で（Ｓ２１２３）、データベースに設定される該当アナウンスをＵＥ２３０に接続する（Ｓ２１２５）。
【０１００】
アナウンス終了前にRingingメッセージを受信した場合は（Ｓ２１２７）、Ringingメッセージを破棄する。接続完了を示すＳＩＰ２００＿ＯＫメッセージを受信した場合は（Ｓ２１２９）、アナウンスを停止してＣＮ２４０側にパス切り替えを行い（Ｓ２１３１）、音声呼の接続を行い通話を確立する（Ｓ２１３３）。
【０１０１】
以下、第６実施形態の他の構成及び動作手順は、第２実施形態から類推が可能であるので、図示及び説明は省略する。
【０１０２】
［第７実施形態］
次に、本発明の第７実施形態の通信システムについて説明する。上記実施形態では、ＨＮＢ−ＧＷは単独で閉じられた範囲の情報に基づいてＨＮＢ及びＵＥを制御していた。本実施形態では、ＣＮに接続する多種多様なサーバやゲートウェイとの相互通信により蓄積した端末やユーザ情報などを利用して、更に、ダイナミックなアナウンス制御を行なう。本実施形態によれば、端末やユーザの履歴や嗜好によりアナウンス対象を選別でき、且つ、アナウンス内容もアナウンス提供者や広告メッセージ提供者からの種々多様な内容を提供可能になる。
【０１０３】
〈第７実施形態の通信システムの構成〉
図２２は、第７実施形態に係る通信システム２２００の構成を示すブロック図である。
【０１０４】
図２２において、ＨＮＢ２２０は、フェムト基地局と呼ばれ第３世代の無線方式(W-CDMA)に対応した小型無線基地局を示す。ＨＮＢ−ＧＷ２２１０は、大量のＨＮＢ２２０を集約し、ＣＮ２２４０に接続するためのゲートウェイ装置である。ＵＥ２３０は、ユーザが所有する移動局である携帯端末を示す。ＭＧＷ２２５０はアナウンス機能を具備するコーデック・メディア変換機能を含むゲートウェイ装置を示す。複数のＨＮＢ２２０は、ＨＮＢ−ＧＷ２２１０に接続され、ＨＮＢ−ＧＷ２２１０を経由してＣＮ２２４０と通信を行う。ＭＧＷ２２５０もＣＮ２２４０に接続されて、アナウンスや広告メッセージをダウンロードしてアナウンスＤＢ２２５２や広告メッセージＤＢ２２５３に保持し、アナウンス部２２５１によりＨＮＢ−ＧＷ２２１０始めた装置にアナウンスを提供する。ＭＧＷ２２５０は、音声データのＩＰ⇔ＡＴＭ(Internet Protocol⇔Asynchronous Transfer Mode)変換やパス制御を実施する機能を有している。また、端末／ユーザサーバ２２６０は、携帯端末やユーザの情報をＣＮ２２４０を介して端末／ユーザＤＢ２２６１に集積し、その履歴から傾向や嗜好を分析して他の装置に提供する。ＣＮ２２４０には、情報を蓄積して提供する多様な他のサーバ２２７０が接続されて、種々の情報を提供する。
【０１０５】
（第７実施形態のＨＮＢ−ＧＷの機能構成）
図２２で示されるＭＧＷ機能を含むＨＮＢ−ＧＷ２２１０の機能構成を説明する。
【０１０６】
図２２に示されるように、ＨＮＢ−ＧＷ２２１０は、他の装置(ＵＥ，ＨＮＢ等)とのＨＮＢＡＰ(Home Node B Application Part)、ＲＡＮＡＰ(Radio Access Network Application Part)あるいはＲＵＡ(RANAP User Adaption)プロトコル等の信号の送受信を行う通信制御部２１１を有する。また、ＵＥ２３０からの発呼を受けた場合に、どのＨＮＢ２２０を経由して受信したか及びそのＨＮＢ２２０がアナウンスをすべきＨＮＢであるかを判別するＨＮＢ判別部２１２を有する。本実施形態では、端末／ユーザサーバ２２６０から取得したＵＥ（あるいはユーザ）の履歴などによってアナウンスを行なうか否かを判定するＵＥ判定部２２１５を有する。また、ＵＥ判定部２２１５が判定したアナウンスすべきＵＥであれば、ＨＮＢ判別部２１２が判別したＨＮＢ２２０に対応するアナウンスを選択して、ＭＧＷ２２５０に指定するアナウンス指定部２２１３を有する。また、ＨＮＢ２２０を経由して、発呼したＵＥ２３０に対してアナウンス指定部２２１３によりＨＮＢ２２０の配置位置に対応して指定されたアナウンスを送るように、ＭＧＷ２２５０を制御するＭＧＷ制御部２２１４を有する。ＭＧＷ制御部２２１４は、Megaco、MGCPなどに代表されるＭＧＷを制御するプロトコルを用いてＭＧＷ２２５０の制御を行う。
【０１０７】
なお、ＨＮＢ−ＧＷ２２１０のＵＥ２３０に対するアナウンス処理については、上記実施形態で記載した処理が適用可能であり、その詳細は省略する。また、ＨＮＢ−ＧＷ２２１０をＨｅＮＢ−ＧＷに置き換えた通信システムも、第６実施形態の記載に従えば可能である。
【０１０８】
上記本実施形態により、、現金自動預け払い機(ATM:Automated Teller Machine)近辺に設置されたＨＮＢからの発信に対して“詐欺”に対する注意喚起のアナウンス配信ができる。また、商店に設置されたＨＮＢからの発信に対して音声広告の配信を行うこともできる。このように、フェムトセルの局地性を生かしたサービスが可能となる。また、小型基地局は固定化されず、バスや電車、新幹線などに搭載できる移動基地局にも適用することが出来るため、デッキでの使用の呼びかけにも使用することが出来ることになる。
【０１０９】
更に、ＧＰＳなどによってＵＥにて位置測定を実施しないため、ＵＥで位置測定を行うＧＰＳ測定に比べてバッテリー消費が抑えられる。ＧＰＳ衛星の見えない地下や建物内でも、ＵＥ位置を特定することが出来る。ＧＰＳとは違ってビル等でのフロア（階）検出が容易である。ＧＰＳ機能を具備しないＵＥについても利用可能である。
【０１１０】
［他の実施形態］
以上、本発明の実施形態について詳述したが、それぞれの実施形態に含まれる別々の特徴を如何様に組み合わせたシステム又は装置も、本発明の範疇に含まれる。
【０１１１】
また、本発明は、複数の機器から構成されるシステムに適用されても良いし、単体の装置に適用されても良い。さらに、本発明は、実施形態の機能を実現する制御プログラムが、システム或いは装置に直接或いは遠隔から供給される場合にも適用可能である。したがって、本発明の機能をコンピュータで実現するために、コンピュータにインストールされる制御プログラム、或いはその制御プログラムを格納した媒体、その制御プログラムをダウンロードさせるＷＷＷ(World Wide Web)サーバも、本発明の範疇に含まれる。
【０１１２】
［実施形態の他の表現］
上記の実施形態の一部又は全部は、以下の付記のようにも記載されうるが、以下には限られない。
【０１１３】
（付記１）
移動局が基地局を介して無線通信を行なう通信システムであって、
前記移動局からの発呼が複数の基地局のいずれの基地局を経由して行なわれたかを判別する判別手段と、
前記移動局からの発呼に基づく通信が開始される前に、前記判別手段が判別した基地局に対応付けられたアナウンス情報を発呼した前記移動局に送信する送信手段と、
を備えることを特徴とする通信システム。
（付記２）
前記複数の基地局の各々に対応付けて前記アナウンス情報を記憶する第１記憶手段を備えることを特徴とする付記１に記載の通信システム。
（付記３）
前記判別手段が判別した基地局の現在位置を判定する判定手段を備え、
前記送信手段は、前記判定手段が判定した基地局の現在位置に対応するアナウンス情報を発呼した前記移動局に送信することを特徴とする付記１または２に記載の通信システム。
（付記４）
前記複数の基地局の各々に対応付けて、前記基地局の現在位置と該現在位置に対応するアナウンス情報を記憶する第２記憶手段を備えることを特徴とする付記３に記載の通信システム。
（付記５）
前記判別手段が判別した基地局が前記アナウンス情報を送信すべき基地局か否かを判断する第１判断手段を備え、
前記送信手段は、前記第１判断手段が前記アナウンス情報を送信すべき基地局であると判断した場合に、前記判別手段が判別した基地局に対応付けられたアナウンス情報を発呼した前記移動局に送信することを特徴とする付記１乃至４のいずれか１項に記載の通信システム。
（付記６）
前記複数の基地局の各々に対応付けて、前記アナウンス情報を送信すべき基地局か否かを示す情報を記憶する第３記憶手段を備えることを特徴とする付記５に記載の通信システム。
（付記７）
発呼した前記移動局が前記アナウンス情報を送信すべき移動局か否かを判断する第２判断手段を備え、
前記送信手段は、前記第１判断手段が前記アナウンス情報を送信すべき基地局であると判断し、且つ、前記第２判断手段が前記アナウンス情報を送信すべき移動局であると判断した場合に、前記判別手段が判別した基地局に対応付けられたアナウンス情報を発呼した前記移動局に送信することを特徴とする付記５または６に記載の通信システム。
（付記８）
前記移動局に対応付けて、前記アナウンス情報を送信すべき移動局か否かを示す情報と、既に前記アナウンス情報を送信したか否かを示す情報との少なくともいずれかを記憶する第４記憶手段を備えることを特徴とする付記７に記載の通信システム。
（付記９）
前記送信手段により前記アナウンス情報が発呼した前記移動局に送信されている間に発呼先の呼び出し音を受信した場合に、前記発呼先の呼び出し音の通知を前記アナウンス情報の終了まで待機させる待機手段を備えることを特徴とする付記１乃至８のいずれか１項に記載の通信システム。
（付記１０）
前記送信手段により前記アナウンス情報が発呼した前記移動局に送信されている間に前記発呼に基づく通信の開始が通知された場合に、前記アナウンスを停止して前記発呼に基づく通信を開始させる開始手段を備えることを特徴とする付記１乃至９のいずれか１項に記載の通信システム。
（付記１１）
前記複数の基地局の各々に対応付けて前記アナウンス情報を提供する提供手段を備えることを特徴とする付記１乃至１０のいずれか１項に記載の通信システム。
（付記１２）
前記判別手段が判別した基地局を識別する第１識別子または前記判定手段が判定した基地局の現在位置を識別する第２識別子を前記提供手段に通知する通知手段と、
前記第１識別子または前記第２識別子に対応付けて前記提供手段から提供された前記アナウンス情報を取得する取得手段と、
を備えることを特徴とする付記１１に記載の通信システム。
（付記１３）
前記アナウンス提供手段は、前記アナウンス情報に対して複数の符号化が可能な符号化手段を有し、
前記移動局が復号可能な符号化を前記外部ネットワークから前記移動局へのメッセージを参照して特定する特定手段と、
前記特定手段により特定された符号化を前記符号化手段に指示する指示手段と、
を備えることを特徴とする付記１１または１２に記載の通信システム。
（付記１４）
前記提供手段は、ネットワークと接続してメディア情報を取得可能なメディアゲートウェイを含むことを特徴とする付記１１乃至１３のいずれか１項に記載の通信システム。
（付記１５）
付記１乃至１４のいずれか１項に記載の少なくとも１つの手段を具備する通信制御手段であって、複数の基地局に接続して前記移動局と外部ネットワークとを中継し、該外部ネットワークとの通信を制御する通信制御手段を備えることを特徴とする通信システム。
（付記１６）
前記基地局はフェムト基地局であり、前記外部ネットワークはコアネットワークであって、前記通信制御手段は複数のフェムト基地局を前記コアネットワークに中継するフェムト基地局用のゲートウェイであることを特徴とする付記１乃至１５のいずれか１項に記載の通信システム。
（付記１７）
移動局が基地局を介して無線通信を行なう通信システムにおける通信方法であって、
前記移動局からの発呼がいずれの基地局を経由して行なわれたかを判別する判別ステップと、
前記移動局からの発呼に基づく通信が開始される前に、前記判別ステップにより判別した基地局に対応付けられたアナウンス情報を発呼した前記移動局に送信する送信ステップと、
を含むことを特徴とする通信方法。
（付記１８）
移動局が基地局を介して無線通信を行なう通信システムにおける、複数の基地局に接続し、前記移動局と外部ネットワークとを中継して該外部ネットワークとの通信を制御する通信制御装置であって、
前記移動局からの発呼が前記複数の基地局のいずれの基地局を経由して行なわれたかを判別する判別手段と、
前記移動局からの発呼に基づく通信が開始される前に、前記判別手段が判別した基地局に対応付けられたアナウンス情報を発呼した前記移動局に送信する送信手段と、
を有することを特徴とする通信制御装置。
（付記１９）
移動局が基地局を介して無線通信を行なう通信システムにおける、複数の基地局に接続し、前記移動局と外部ネットワークとを中継して該外部ネットワークとの通信を制御する通信制御装置の制御方法であって、
前記移動局からの発呼が前記複数の基地局のいずれの基地局を経由して行なわれたかを判別する判別ステップと、
前記移動局からの発呼に基づく通信が開始される前に、前記判別ステップにおいて判別した基地局に対応付けられたアナウンス情報を発呼した前記移動局に送信する送信ステップと、
を含むことを特徴とする通信制御装置の制御方法。
（付記２０）
移動局が基地局を介して無線通信を行なう通信システムにおける、複数の基地局に接続し、前記移動局と外部ネットワークとを中継して該外部ネットワークとの通信を制御する通信制御装置の制御プログラムであって、
前記移動局からの発呼が前記複数の基地局のいずれの基地局を経由して行なわれたかを判別する判別ステップと、
前記移動局からの発呼に基づく通信が開始される前に、前記判別ステップにおいて判別した基地局に対応付けられたアナウンス情報を発呼した前記移動局に送信する送信ステップと、
をコンピュータに実行させることを特徴とする制御プログラム。
【図１】
2014057116.tif 000003
【図２】
2014057116.tif 000004
【図３】
2014057116.tif 000005
【図４】
2014057116.tif 000006
【図５】
2014057116.tif 000007
【図６Ａ】
2014057116.tif 000008
【図６Ｂ】
2014057116.tif 000009
【図６Ｃ】
2014057116.tif 000010
【図７】
2014057116.tif 000011
【図８】
2014057116.tif 000012
【図９】
2014057116.tif 000013
【図１０】
2014057116.tif 000014
【図１１】
2014057116.tif 000015
【図１２】
2014057116.tif 000016
【図１３】
2014057116.tif 000017
【図１４】
2014057116.tif 000018
【図１５】
2014057116.tif 000019
【図１６】
2014057116.tif 000020
【図１７】
2014057116.tif 000021
【図１８】
2014057116.tif 000022
【図１９】
2014057116.tif 000023
【図２０】
2014057116.tif 000024
【図２１】
2014057116.tif 000025
【図２２】
2014057116.tif 000026